(57)【特許請求の範囲】
【請求項１】
携帯機器に設けられたストラップ接続孔に接続される接続紐を有するストラップを、前記携帯機器に係止するためのストラップ係止具であって、
前記ストラップ接続孔に挿通された前記接続紐が挿通される接続紐挿通孔を有し、前記ストラップ接続孔を通り抜け不能な本体と、
前記接続紐挿通孔に挿通された前記接続紐を挿通可能な接続紐挿通部を有し、前記接続紐挿通部に挿通された前記接続紐を係止可能であると共に前記接続紐挿通孔に嵌合可能な嵌合体と、
からなることを特徴とするストラップ係止具。
【請求項２】
請求項１に記載したストラップ係止具であって、
前記接続紐は環状に形成された環状部を有し、前記接続紐挿通部に挿通された前記接続紐の前記環状部に前記嵌合体が挿通されて引き締められることにより、前記嵌合体に係止されることを特徴とするストラップ係止具。
【請求項３】
請求項１に記載したストラップ係止具であって、
前記接続紐は一本紐状であり、前記接続紐挿通部に挿通された前記接続紐の先端が結ばれて結びこぶが形成されることにより、前記嵌合体に係止されることを特徴とするストラップ係止具。
【請求項４】
請求項１〜３のいずれか１つに記載したストラップ係止具であって、
前記接続紐挿通孔又は前記嵌合体の一方に被嵌合部が設けられ、前記接続紐挿通孔又は前記嵌合体の他方に前記被嵌合部に嵌合する嵌合部が設けられることを特徴とするストラップ係止具。
【請求項５】
請求項１〜４のいずれか１つに記載したストラップ係止具であって、
前記本体が装飾体であることを特徴とするストラップ係止具。
【請求項６】
請求項１〜５のいずれか１つに記載したストラップ係止具であって、
前記接続紐挿通孔に嵌合された前記嵌合体の頂部と前記本体の頂部が連続面であることを特徴とするストラップ係止具。
【請求項７】
請求項１〜６のいずれか１つに記載したストラップ係止具であって、
前記接続紐挿通孔に嵌合された前記嵌合体の頂部に装飾体が設けられることを特徴とするストラップ係止具。
【発明の詳細な説明】
【０００１】
【発明の属する技術分野】
本発明は、携帯電話端末等の携帯機器に設けられたストラップ接続孔に接続される接続紐を有するストラップを、該携帯機器に係止するためのストラップ係止具に係り、さらに詳しくは、携帯機器にストラップを容易かつ堅固に係止可能なストラップ係止具に関する。
【０００２】
【従来の技術】
従来より、携帯電話端末，簡易型携帯電話端末（いわゆるＰＨＳ），携帯情報端末（いわゆるＰＤＡ），小型カメラ，小型ビデオカメラ等の携帯機器において、該携帯機器の取扱や携行性の向上等を目的として、該携帯機器にストラップが係止されることが多い。また携帯機器の識別やファッション性の向上等を目的として、該携帯機器にマスコット等の装飾体が接続されることも多い。さらに比較的大型の装飾体を接続した上で携帯機器にストラップを係止するために、該携帯機器にストラップ係止具が装着されることもあり、該ストラップ係止具としては、例えば以下の三種のものがある。
【０００３】
まず第一のストラップ係止具は、特開２０００−３５０６１３号公報に示される「携帯電話用ストラップのコネクター」である。これは箱状を呈する枠体の一辺に、ストラップに設けられる一本紐状の接続紐を挿通するための第一穴を設け、相対する一辺に、該接続紐を挿通するための第二穴と第三穴を設けたものであり、第一穴及び第二穴に挿通されると共に携帯機器に設けられたストラップ接続孔に挿通された接続紐が第三穴に挿通され、接続紐の先端を結んで結びこぶが形成されることにより、携帯機器にストラップを係止するものである。
【０００４】
また第二のストラップ係止具は、特開２０００−２５３９２１号公報に示される「ストラップ用装着具」である。これは略キノコ状を呈する抜止め用主部と、ストラップに設けられるループ状の接続紐を嵌着するための紐嵌着用深溝と、該接続紐の外れを防止するための紐外れ防止用張出部を有するものであり、携帯機器に設けられたストラップ接続孔に挿通された接続紐が紐嵌着用深溝に嵌着され、抜止め用主部がストラップ接続孔に嵌合されることにより、携帯機器にストラップを係止するものである。
【０００５】
さらに第三のストラップ係止具は、実用新案登録第３０７７０９４号公報に示される「携帯機器用ストラップの取付用紐体のストッパー」である。これはストラップに設けられるループ状の接続紐を跨った状態で掛け渡すための溝を有する基体と、該基体を覆うようにして係止される装飾体を有するものであり、携帯機器に設けられたストラップ接続孔に挿通された接続紐が基体の溝に掛け渡され、装飾体が基体に嵌合されることにより、携帯機器にストラップを係止するものである。
【０００６】
【発明が解決しようとする課題】
しかしながら、前記第一のストラップ係止具では、枠体に設けられた各穴に接続紐を挿通した上で接続紐の先端を結んで結びこぶを形成する必要があるため、携帯機器にストラップを係止するのが面倒であるという問題があった。
【０００７】
また前記第二のストラップ係止具では、ストラップ接続孔に嵌合された抜止め用主部に負荷（例えば引張力）が作用した場合に、該抜止め用主部がストラップ接続孔から外れ、ストラップの接続紐が抜止め用主部の紐嵌着用深溝から外れて、携帯機器とストラップが分離してしまうという問題があった。
【０００８】
さらに前記第三のストラップ係止具でも同様に、基体に嵌合された装飾体に負荷（例えば引張力）が作用した場合に、該装飾体が基体から外れ、ストラップの接続紐が基体の溝から外れて、携帯機器とストラップが分離してしまうという問題があった。
【０００９】
本発明は、このような背景のもとになされたものであり、その目的は、ストラップを携帯機器に容易かつ堅固に係止可能なストラップ係止具を提供することにある。
【００１０】
【課題を解決するための手段】
本発明は、前記課題を解決するために、次のような手段を採る。
【００１１】
まず請求項１に係る発明は、携帯機器に設けられたストラップ接続孔に接続される接続紐を有するストラップを、前記携帯機器に係止するためのストラップ係止具であって、前記ストラップ接続孔に挿通された前記接続紐が挿通される接続紐挿通孔を有し、前記ストラップ接続孔を通り抜け不能な本体と、前記接続紐挿通孔に挿通された前記接続紐を挿通可能な接続紐挿通部を有し、前記接続紐挿通部に挿通された前記接続紐を係止可能であると共に前記接続紐挿通孔に嵌合可能な嵌合体と、からなることを特徴とするストラップ係止具である。これによれば、ストラップ接続孔に挿通された接続紐を本体の接続紐挿通孔に挿通し、該接続紐を嵌合体の接続紐挿通溝に挿通して係止し、該嵌合体を本体の接続紐挿通孔に嵌合することにより、ストラップを携帯機器に容易に係止できる。また本体に負荷（例えば引張力）が作用しても本体から嵌合体は外れないため、ストラップを携帯機器に堅固に係止できる。さらにストラップ接続孔の近傍にストラップ係止具を装着できる。
【００１２】
また請求項２に係る発明は、請求項１に記載したストラップ係止具であって、前記接続紐は環状に形成された環状部を有し、前記接続紐挿通部に挿通された前記接続紐の前記環状部に前記嵌合体が挿通されて引き締められることにより、前記嵌合体に係止されることを特徴とするストラップ係止具である。これによれば、接続紐を結んで結びこぶを形成したりすることなく接続紐が嵌合体に係止されるため、ストラップを携帯機器に容易に係止できる。また接続紐の環状部に挿通されるのが本体と比較して小型の嵌合体であるため、接続紐が短くても嵌合体に係止可能であると共に、接続紐の環状部に本体が挿通されることがなく比較的大型の本体とすることができるため、本体のデザイン上の自由度が高くなる。
【００１３】
また請求項３に係る発明は、請求項１に記載したストラップ係止具であって、前記接続紐は一本紐状であり、前記接続紐挿通部に挿通された前記接続紐の先端が結ばれて結びこぶが形成されることにより、前記嵌合体に係止されることを特徴とするストラップ係止具である。これによれば、一本紐状の接続紐であっても嵌合体に係止できるため、ストラップを携帯機器に容易に係止できる。
【００１４】
また請求項４に係る発明は、請求項１〜３のいずれか１つに記載したストラップ係止具であって、前記接続紐挿通孔又は前記嵌合体の一方に被嵌合部が設けられ、前記接続紐挿通孔又は前記嵌合体の他方に前記被嵌合部に嵌合する嵌合部が設けられることを特徴とするストラップ係止具である。これによれば、被嵌合部に嵌合部が嵌合することにより本体から嵌合体が外れ難くなるため、ストラップを携帯機器に一層堅固に係止できる。
【００１５】
また請求項５に係る発明は、請求項１〜４のいずれか１つに記載したストラップ係止具であって、前記本体が装飾体であることを特徴とするストラップ係止具である。これによれば、本体が装飾体であるため、ストラップ係止具の美観が向上し、携帯機器の識別やファッション性の向上に寄与できる。
【００１６】
また請求項６に係る発明は、請求項１〜５のいずれか１つに記載したストラップ係止具であって、前記接続紐挿通孔に嵌合された前記嵌合体の頂部と前記本体の頂部が連続面であることを特徴とするストラップ係止具である。これによれば、嵌合体の頂部と本体の頂部が連続面、即ちいわゆる面一（ツライチ）であるため、装飾体としてのストラップ係止具の美観を害することがない。
【００１７】
また請求項７に係る発明は、請求項１〜６のいずれか１つに記載したストラップ係止具であって、前記接続紐挿通孔に嵌合された前記嵌合体の頂部に装飾体が設けられることを特徴とするストラップ係止具である。これによれば、嵌合体の頂部にも装飾体が形成されるため、装飾体としてのストラップ係止具の美観を向上できる。
【００１９】
【発明の実施の形態】
以下、本発明の実施の形態を、図面を参照して説明する。
【００２０】
［１．第一実施形態に係るストラップ係止具］
まず図１〜図１７を参照して、本発明の第一実施形態に係るストラップ係止具１について説明する。ストラップ係止具１は、図１に示すように、携帯機器に設けられたストラップ接続孔２ａに接続される接続紐３ｃを有するストラップ３を、該携帯機器に係止するためのものである。以下においては、携帯機器が携帯電話端末２である例について説明を行うが、これに限らず、携帯機器は、例えば簡易型携帯電話端末（いわゆるＰＨＳ），携帯情報端末（いわゆるＰＤＡ），小型カメラ，小型ビデオカメラ等であっても良く、ユーザーが携帯可能な機器であれば良い。この携帯電話端末２には、図１１にも示すように、ストラップ３の接続紐３ｃを接続するためのストラップ接続孔２ａが設けられており、この例では、携帯電話端末２の側面から上面に向けて貫通する孔である。
【００２１】
ストラップ３は、図１に示すように、やや長めの環状を呈する持ち手紐３ａと、やや短めの環状を呈する接続紐３ｃが、結合部３ｂにおいて結合されたものである。この持ち手紐３ａは、手で持ったり、手首に掛けたり、あるいは首に掛けたりするための部位であり、例えば太めの紐や帯等からなる。結合部３ｂは、持ち手紐３ａと接続紐３ｃが分離しないように結合するための部位であり、例えば合成樹脂等からなる。この結合部３ｂは、ストラップ接続孔２ａを通り抜け不能である。なお結合部３ｂがマスコット等の装飾体である場合もある。接続紐３ｃは、ストラップ接続孔２ａに接続するための部位であり、例えば細めの紐等からなる。この接続紐３ｃは、図１１に示すように、環状（ループ状）に形成された環状部３ｄを有する。
【００２２】
このストラップ３は、一般的には、接続紐３ｃがストラップ接続孔２ａに挿通され、該接続紐３ｃの環状部３ｄに持ち手紐３ａ及び結合部３ｂが挿通されて引き締められることにより、携帯電話端末２に係止されるが、本発明では、後述するストラップ係止具１にて携帯電話端末２に係止されるので、接続紐３ｃの環状部３ｄに結合部３ｂが挿通されることはなく、従って接続紐３ｃを比較的短くできると共に結合部３ｂを比較的大型の装飾体とすることができ、ストラップ３自体の美観を向上できる。
【００２３】
ストラップ係止具１は、図１１に示すように、本体１０と嵌合体２０からなる。本体１０は、図２〜図６に示すように、ストラップ接続孔２ａに挿通された接続紐３ｃが挿通される接続紐挿通孔１１を有し、ストラップ接続孔２ａを通り抜け不能な部材であり、例えば合成樹脂等からなる。本体１０は装飾体であり、この例では熊の頭部の形状を呈する。
【００２４】
接続紐挿通孔１１は、この例では本体１０の中心部において頂部から底部に向けて貫通する円筒形状の孔であり、頂部開口１１ｄから底部開口１１ｅに向けて大径部１１ａ，中径部１１ｂ，及び小径部１１ｃが形成されている。この大径部１１ａの径は、接続紐挿通孔１１に嵌合された嵌合体２０の後述する傘状部２１がぴったりと嵌合する程度であり、中径部１１ｂの径は、同嵌合体２０の後述する板状部２２の前後面との間に隙間が形成される程度であり、小径部１１ｃの径は、同嵌合体２０に係止された接続紐３ｃとの間に隙間が形成される程度である。
【００２５】
嵌合体２０は、図７〜図９に示すように、接続紐挿通孔１１に挿通された接続紐３ｃを挿通可能な接続紐挿通部２３を有し、接続紐挿通部２３に挿通された接続紐３ｃを係止可能であると共に接続紐挿通孔１１に嵌合可能な部材であり、例えば合成樹脂等からなる。
【００２６】
嵌合体２０は、この例では略キノコ状を呈する部材であり、傘状部２１と、傘状部２１の下面に垂設される板状部２２と、板状部２２に形成される接続紐挿通部２３からなる。この傘状部２１は、大径部１１ａにぴったりと嵌合する円筒形状の部材である。なお傘状部２１の頂部（即ち嵌合体２０の頂部）は、嵌合体２０が接続紐挿通孔１１に嵌合された際に、本体１０の頂部と連続面、即ちいわゆる面一（ツライチ）となる形状であり、この例では円弧状に形成される本体１０の頂部と同一の曲率の円弧状を呈する。
【００２７】
板状部２２は、中径部１１ｂの高さよりも短く、傘状部２１の径よりも幅狭な板状の部材である。この板状部２２の左右側面は円弧状であり（図９を参照）、嵌合体２０が接続紐挿通孔１１に嵌合された際に、中径部１１ｂにぴったりと嵌合して外れ難いようになっている。なお板状部２２の前後面は平板状であり、嵌合体２０が接続紐挿通孔１１に嵌合された際に、中径部１１ｂとの間に隙間が形成されて接続紐３ｃが位置できるようになっている。
【００２８】
接続紐挿通部２３は、板状部２２の前後面を貫通する矩形状の孔である。この接続紐挿通部２３に挿通された接続紐３ｃは、その環状部３ｄに嵌合体２０が挿通されて引き締められることにより（後述する図１１〜図１４を参照）、図１０に示すように、板状部２２の底辺において嵌合体２０に係止される。
【００２９】
以下、図１１〜図１５を参照して、ストラップ３及びストラップ係止具１を携帯電話端末２に装着する手順について説明する。まず図１１に示すように、ストラップ３の接続紐３ｃを携帯電話端末２のストラップ接続孔２ａの内部に側面側から上面側に挿通し、該接続紐３ｃを本体１０の接続紐挿通孔１１の内部に底部開口１１ｅ側から頂部開口１１ｄ側に挿通し、該接続紐３ｃの環状部３ｄを拡げる。
【００３０】
続いて図１２に示すように、該接続紐３ｃの環状部３ｄを嵌合体２０の傘状部２１の背後に渡し、続いて図１３に示すように、該接続紐３ｃの環状部３ｄを嵌合体２０の傘状部２１の下方に引き下げ、続いて図１４に示すように、ストラップ３を引き締めて接続紐３ｃを板状部２２の底辺において係止し、最後に図１５に示すように、ストラップ３を引いて嵌合体２０を本体１０の接続紐挿通孔１１に嵌合することにより、ストラップ係止具１が携帯電話端末２に装着されると共に、ストラップ３が携帯電話端末２に係止される。
【００３１】
従って、ストラップ係止具１によれば、接続紐３ｃを結んで結びこぶを形成したりすることなく接続紐３ｃが嵌合体２０に係止されるため、ストラップ３を携帯電話端末２に容易に係止できる。また本体１０に負荷（例えば引張力）が作用しても本体１０から嵌合体２０は外れないため、ストラップ３を携帯電話端末２に堅固に係止できる。さらにストラップ接続孔２ａの近傍にストラップ係止具１を装着できる。また本体１０が装飾体であるため、ストラップ係止具１の美観が向上し、携帯電話端末２の識別やファッション性の向上に寄与できる。さらに嵌合体２０の頂部と本体１０の頂部が連続面、即ちいわゆる面一（ツライチ）であるため、装飾体としてのストラップ係止具１の美観を害することがない。
【００３２】
なおストラップ３を携帯電話端末２に一層堅固に係止するという観点からは、図１６に示すように、本体１０の接続紐挿通孔１１に被嵌合部である嵌合凹部１２を設け、嵌合体２０に前記被嵌合部に嵌合する嵌合部である嵌合凸部２４を設けることが好ましい。この例では接続紐挿通孔１１における大径部１１ａの周面に二箇所の嵌合凹部１２が設けられ、嵌合体２０における傘状部２１の周面に二箇所の嵌合凸部２４が設けられている。これによれば、図１７に示すように、本体１０に嵌合体２０が嵌合した際に、嵌合凹部１２に嵌合凸部２４が嵌合することにより本体１０から嵌合体２０が外れ難くなるため、ストラップ３を携帯電話端末２に一層堅固に係止できる。なお本体１０から嵌合体２０を取り外す際には、本体１０の底部開口１１ｅから挿入した棒状の部材にて嵌合体２０を押動することにより取り外し可能である。
【００３３】
［２．第二実施形態に係るストラップ係止具］
次に図１８〜図２２を参照して、本発明の第二実施形態に係るストラップ係止具１について説明する。この第二実施形態は、前記第一実施形態と比較して、環状の接続紐３ｃに代えて一本紐状の接続紐３ｃ’が用いられる点，及び前記嵌合体２０に代えて嵌合体２０’が用いられる点が異なり、その他の点は同様であるため、以下においては異なる点についてのみ説明し、同様の点については説明を省略する。
【００３４】
嵌合体２０’は、図１８〜図２０に示すように、前記接続紐挿通孔１１に挿通された接続紐３ｃ’を挿通可能な接続紐挿通部２３’を有し、接続紐挿通部２３’に挿通された接続紐３ｃ’を係止可能であると共に接続紐挿通孔１１に嵌合可能な部材であり、例えば合成樹脂等からなる。
【００３５】
嵌合体２０’は、この例では略キノコ状を呈する部材であり、前記傘状部２１と、傘状部２１の下面に垂設される前記板状部２２と、板状部２２に形成される接続紐挿通部２３’からなる。この接続紐挿通部２３’は、板状部２２の前後面を貫通する円筒形状の孔であり、その径は、接続紐３ｃ’が通り抜け可能である一方、後述する結びこぶ３ｅが通り抜け不能な程度である。この接続紐挿通部２３’に挿通された接続紐３ｃ’は、その先端が結ばれて結びこぶ３ｅが形成されることにより、図２１及び図２２に示すように、板状部２２の前面において嵌合体２０に係止される。
【００３６】
即ち第二実施形態では、一本紐状の接続紐３ｃ’にも好適に対応できる。なお第一実施形態においても一本紐状の接続紐３ｃ’に対応することは可能であり、この場合には、一本紐状の接続紐３ｃ’の先端を板状部２２底辺に結びつければ良い。
【００３７】
［３．第三実施形態に係るストラップ係止具］
次に図２３を参照して、本発明の第三実施形態に係るストラップ係止具１について説明する。この第三実施形態は、前記第一実施形態と比較して、前記本体１０に代えて本体１０”が用いられる点，及び前記嵌合体２０に代えて嵌合体２０”が用いられる点が異なり、その他の点は同様であるため、以下においては異なる点についてのみ説明し、同様の点については説明を省略する。
【００３８】
本体１０”は、ストラップ接続孔２ａに挿通された接続紐３ｃが挿通される前記接続紐挿通孔１１を有し、ストラップ接続孔２ａを通り抜け不能な部材であり、例えば合成樹脂等からなる。本体１０”は装飾体であり、この例では雪だるまの胴部の形状を呈する。
【００３９】
嵌合体２０”は、前記接続紐挿通孔１１に挿通された接続紐３ｃを挿通可能な前記接続紐挿通部２３を有し、接続紐挿通部２３に挿通された接続紐３ｃを係止可能であると共に接続紐挿通孔１１に嵌合可能な部材であり、例えば合成樹脂等からなる。
【００４０】
嵌合体２０”は、前記傘状部２１と、前記板状部２２と、前記接続紐挿通部２３と、傘状部２１の頂部（即ち嵌合体２０”の頂部）に設けられた装飾体２５からなる。この装飾体２５は、装飾体である本体１０”と関連性のある装飾体であり、この例では雪だるまの頭部の形状を呈する。
【００４１】
即ち第三実施形態では、嵌合体２０の頂部に装飾体２５が形成されるため、装飾体としてのストラップ係止具１の美観を向上できる。なお前記関連性は、同一の対象における関連性（即ちこの例の如き雪だるまの胴部と頭部）には限られず、異なる対象における関連性（例えばサッカーボールとサッカー選手の組み合わせや、亀と浦島太郎の組み合わせ等）でも良い。
【００４２】
［４．第四実施形態に係るストラップ係止具］
次に図２４を参照して、本発明の第四実施形態に係るストラップ係止具１１０について説明する。この第四実施形態は、前記第一実施形態と比較して、前記嵌合体２０が用いられず、前記本体１０と略同様のストラップ係止具１１０のみからなるものである。なお、以下においては、ストラップ３の接続紐が一本紐状の接続紐３ｃ’である例について説明するが、該接続紐は環状の接続紐３ｃであっても良い。
【００４３】
ストラップ係止具１１０には、ストラップ接続孔２ａに挿通された接続紐３ｃが挿通される接続紐挿通孔１１１と、該接続紐３ｃ’の先端が結ばれて形成された結びこぶ３ｅが係止される接続紐係止部１１２とを有し、ストラップ接続孔２ａを通り抜け不能な部材であり、例えば合成樹脂等からなる。
【００４４】
接続紐挿通孔１１１は、前記接続紐挿通孔１１と略同様に、ストラップ係止具１１０の中心部において頂部から底部に向けて貫通する円筒形状の孔である。接続紐係止部１１２は、接続紐挿通孔１１１の底部開口の近傍において該底部開口を覆うように形成され、その中心部において上下方向に向けて貫通する円筒形状の孔が形成されている。この孔の径は、接続紐３ｃ’が通り抜け可能である一方、結びこぶ３ｅが通り抜け不能な程度である。この接続紐係止部１１２の孔に下方から上方に向けて挿通された接続紐３ｃ’は、その先端が結ばれて結びこぶ３ｅが形成され、ストラップ３を引き締めることにより、ストラップ係止具１１０が携帯電話端末２に装着されると共に、ストラップ３が携帯電話端末２に係止される。
【００４５】
即ち第四実施形態では、嵌合体を用いなくても、ストラップ３を携帯電話端末２に容易に係止できる。またストラップ接続孔２ａの近傍にストラップ係止具１１０を装着できる。
【００４６】
［４．ストラップ係止具の変形例］
最後に本発明に係るストラップ係止具１の変形例について説明する。
【００４７】
上記の実施形態では、接続紐挿通孔１１が径の異なる三段の孔（大径部１１ａ，中径部１１ｂ，及び小径部１１ｃ）が連続されてなる形状である例について説明したが、これに限らず、接続紐挿通孔１１は、例えば底部開口１１ｅから頂部開口１１ｄに向けて拡径するテーパ状であっても良い。
【００４８】
上記の実施形態では、接続紐挿通孔１１の大径部１１ａに被嵌合部（嵌合凹部１２）が設けられ、嵌合体２０の傘状部２１に嵌合部（嵌合凸部２４）が設けられる例について説明したが、これに限らず、例えば接続紐挿通孔１１の中径部１１ｂに被嵌合部が設けられ、嵌合体２０の板状部２２に嵌合部が設けられるものでも良い。即ち被嵌合部は接続紐挿通孔１１に設けられ、嵌合部は嵌合体２０に設けられるものであれば良く、その位置は特に限定されない。
【００４９】
上記の実施形態では、接続紐挿通孔１１に被嵌合部（嵌合凹部１２）が設けられ、嵌合体２０に嵌合部（嵌合凸部２４）が設けられる例について説明したが、これに限らず、逆に接続紐挿通孔１１に嵌合部が設けられ、嵌合体２０に被嵌合部が設けられるものでも良い。即ち被嵌合部は接続紐挿通孔１１又は嵌合体２０の一方に設けられ、嵌合部は他方に設けられるものであれば良い。
【００５０】
上記の実施形態では、本体１０が装飾体である例について説明したが、これに限らず、本体は装飾体でなくても良い。また本体１０の装飾形状が熊の頭部である例について説明したが、これに限らず、装飾形状は特に限定されない。同様に本体１０”や嵌合体２０”の装飾形状も特に限定されない。
【００５１】
上記の実施形態では、接続紐挿通孔１１に嵌合された嵌合体２０の頂部と本体１０の頂部が連続面、即ちいわゆる面一（ツライチ）である例について説明したが、これに限らず、該嵌合体２０の頂部と本体１０の頂部に段差や溝が形成されるものであっても良い。
【００５２】
上記の実施形態では、接続紐挿通孔１１に嵌合された嵌合体２０の頂部に設けられる装飾体２５が本体１０の装飾体と関連性のあるものである例について説明したが、これに限らず、該装飾体２５は本体の装飾体と関連性のないものであっても良い。
【００５３】
【発明の効果】
本発明の請求項１〜７に係るストラップ係止具によれば、ストラップ接続孔に挿通された接続紐を本体の接続紐挿通孔に挿通し、該接続紐を嵌合体の接続紐挿通溝に挿通して係止し、該嵌合体を本体の接続紐挿通孔に嵌合することにより、ストラップを携帯機器に容易に係止できる。また本体に負荷（例えば引張力）が作用しても本体から嵌合体は外れないため、ストラップを携帯機器に堅固に係止できる。さらにストラップ接続孔の近傍にストラップ係止具を装着できる。
【図面の簡単な説明】
【図１】図１はストラップ及びストラップ係止具が装着された携帯電話端末の一例を表す背面図である。
【図２】図２は第一実施形態に係るストラップ係止具の本体の一例を表す正面図である。
【図３】図３は同平面図である。
【図４】図４は同底面図である。
【図５】図５は図３のＡ−Ａ線で切断した断面正面図である。
【図６】図６は図３のＢ−Ｂ線で切断した断面側面図である。
【図７】図７は第一実施形態に係るストラップ係止具の嵌合体の一例を表す正面図である。
【図８】図８は同側面図である。
【図９】図９は同底面図である。
【図１０】図１０は第一実施形態に係る嵌合体に環状の接続紐が係止された状態の一例を表す側面図である。
【図１１】図１１はストラップ及びストラップ係止具を携帯電話端末に装着する手順の一例を表す図である。
【図１２】図１２は図１１に続く図である。
【図１３】図１３は図１２に続く図である。
【図１４】図１４は図１３に続く図である。
【図１５】図１５は図１４に続く図である。
【図１６】図１６は嵌合凸部が形成された嵌合体の一例を表す正面図，及び接続紐挿通孔に嵌合凹部が形成された本体の一例を表す断面正面図である。
【図１７】図１７は嵌合凸部が嵌合凹部に嵌合した状態の一例を表す図である。
【図１８】図１８は第二実施形態に係るストラップ係止具の嵌合体の一例を表す正面図である。
【図１９】図１９は同側面図である。
【図２０】図２０は同底面図である。
【図２１】図２１は第二実施形態に係る嵌合体に一本紐状の接続紐が係止された状態の一例を表す側面図である。
【図２２】図２２は同正面図である。
【図２３】図２３は第三実施形態に係るストラップ係止具の嵌合体の一例を表す正面図，及び本体の一例を表す断面正面図である。
【図２４】図２４は第四実施形態に係るストラップ係止具の一例を表す断面正面図である。
【符号の説明】
１…ストラップ係止具
２…携帯電話端末（携帯機器）
２ａ…ストラップ接続孔
３…ストラップ
３ａ…持ち手紐
３ｂ…結合部
３ｃ…接続紐
３ｄ…環状部
１０…本体
１１…接続紐挿通孔
１１ａ…大径部
１１ｂ…中径部
１１ｃ…小径部
１１ｄ…頂部開口
１１ｅ…底部開口
１２…嵌合凹部（被嵌合部）
２０…嵌合体
２１…傘状部
２２…板状部
２３…接続紐挿通部
２４…嵌合凸部（嵌合部）
［第二実施形態］
３ｃ’…接続紐
３ｅ…結びこぶ
２０’…嵌合体
２３’…接続紐挿通部
［第三実施形態］
１０”…本体
２０”…嵌合体
２５…装飾体
［第四実施形態］
１１０…ストラップ係止具
１１１…接続紐挿通孔
１１２…接続紐係止部
【図１】
0003581843.tif 000002
【図２】
0003581843.tif 000003
【図３】
0003581843.tif 000004
【図４】
0003581843.tif 000005
【図５】
0003581843.tif 000006
【図６】
0003581843.tif 000007
【図７】
0003581843.tif 000008
【図８】
0003581843.tif 000009
【図９】
0003581843.tif 000010
【図１０】
0003581843.tif 000011
【図１１】
0003581843.tif 000012
【図１２】
0003581843.tif 000013
【図１３】
0003581843.tif 000014
【図１４】
0003581843.tif 000015
【図１５】
0003581843.tif 000016
【図１６】
0003581843.tif 000017
【図１７】
0003581843.tif 000018
【図１８】
0003581843.tif 000019
【図１９】
0003581843.tif 000020
【図２０】
0003581843.tif 000021
【図２１】
0003581843.tif 000022
【図２２】
0003581843.tif 000023
【図２３】
0003581843.tif 000024
【図２４】
0003581843.tif 000025